(57)【要約】      （修正有）【課題】極めて簡単な構造で、ドアスコープによる盗難、盗撮等の犯罪の防止及びドアの破損による犯罪防止を図ることができる画期的構造を提供する。【解決手段】ドア本体１に取付けられたドアスコープ３の室内側筒体３ｄの表面に、接着剤、又は両面テープ、又はネジ、等の結合手段である固定部材１０が取付けられ、固定部材１０とドア本体１の室内側面、及び固定部材１０とキャップベース１１とを結合しており、キャップベース１１に対し、キャップ１２は、ネジ、噛込み継手等の取付手段により、取付けられており、外部からの覗き見を防止できると共に室外側筒体３ａ、及び室内側筒体３ｂを、取外すことを防止することを特徴とする。【選択図】図２
0003145332.tif 000002
【実用新案登録請求の範囲】
【請求項１】
ドア本体に取付けられたドアスコープの室内側筒体のフランジ部の室内側には、キャップベースが設けられ、ドア本体の室内側面と、キャップベースとが、接着剤、又は両面テープ、又はネジ、又はクギ等の結合手段で構成された結合部材を介して結合しており、キャップベースに対しキャップは、ネジ、又はヒンジ・ピン構造、又は噛込み継手等の取付手段により、取付けられており、ドア外部からの覗き見を防止できると共に、室内側筒体を、取外すことを防止することを特徴とするドア犯罪防止装置。
【請求項２】
前記固定部材は、常温（１８．０±１８．０℃）におけるＪＩＳに規定する、９０度引きはがし接着力（Ｎ／ｍｍ）の値が、８．０（Ｎ／ｍｍ）以上の強度を有し、及び／又は、引張せん断接着力試験値（Ｎ／ｃｍ２）が、同じく常温（１８．０±１８．０℃）にて、３０．０（Ｎ／ｃｍ２）以上の接着力を有する接着剤、又は両面テープであることにより外部からの覗き見を防止できると共に、ドアスコープの室内側筒体を、取外すことを防止することを特徴とする請求項１記載のドア犯罪防止装置。
【請求項３】
ドアスコープの中央の開口に対向して、前記キャップ、又はキャップベースの内面には、感知センサーが設けられており、該感知センサーは、接触、押付け、打撃、等の動作に対し作動すると、いずれかの場所に取付けられた警報器に信号が送られ、音、振動、光、音声等いずれか一つ、又はそれらのいずれかの組合せによる警報が、発信されるように構成されていることにより外部からの覗き見を防止できると共に、ドアスコープの室内側筒体を、取外すことを防止することを特徴とする請求項１、又は２記載のドア犯罪防止装置。
【請求項４】
ドア本体に取付けられたドアスコープのキャップベースの一部、又はキャップの一部、又は室内側の任意の位置に、離間センサーの一方の送受信器が取付けられており、又、ドアノブ、又はドアキー、又はサムターンには他方の送受信器が取付けられており、一方の送受信器と他方の送受信器の離間距離が変化する信号が発せられると、該信号が警報器に送られ、音、振動、光、音声等いずれか一つ又はそれらの組合せによる警報が、発信されるように構成されることにより、ドアスコープの破損、及び／又はドアノブ、又はドアキー、又はサムターンの破損による侵入を防止することができることを特徴とする請求項１、又は２、又は３記載のドア犯罪防止装置。
【考案の詳細な説明】
【技術分野】
【０００１】  本考案は、住宅、工場等のドアの防犯に供する防犯装置を提供するものである。
【背景技術】
【０００２】  最近、住宅、工場等のドアのピッキング犯罪が多発しており、特にドアに取付けられたドアスコープ、又はドアのドアキー、ドアノブを解体破損して室内に侵入しての盗難犯罪や、カメラ等により室内を覗き込み、盗撮する等の犯罪が多発している。【０００３】  特に、ドアスコープからの犯罪を防止する装置に関しては、例えば、［特開２００７−９２４０１号］（以下、「引例」という）が提案されている。
しかしこの引例においては、ドアスコープの室外側より覗かれるのを防止するカバーが、取付けられ、装着部材のゆるみを防止する回転防止手段を備えたものである。
しかるに、ドアスコープからの最近の犯罪は、ドアスコープを構成する室外側筒体と、室内側筒体とが、ネジ部等により結合されているため、室外より室外側筒体を、回転して外し、次に室内側筒体を、ドライバー等により強く叩き込み、又は押し込むことにより、室内に落し込み、その開口を利用して、例えば針金等により、ドアノブを内側から、引っ掛けて解錠するという方法で室内に侵入し、盗難や、隠しカメラを仕掛けるという犯罪が多発しているのである。【０００４】  従って、引例の構造では、強く叩き込み、又は押し込まれると回転防止手段を含めて、破損されてしまい、室内側筒体が、室内に外れてしまうことに関しては無防備であった。
【特許文献１】特開２００７−９２４０１号
【０００５】
【考案の開示】
【考案が解決しようとする課題】
【０００６】    本考案は、極めて簡単な構造で、これらのドアスコープによる盗難、盗撮等の犯罪の防止及び／又はドアの破損による犯罪防止を図ることができる画期的構造を提供するものである。
【課題を解決するための手段】
【０００７】  ドア本体に取付けられたドアスコープの室内側筒体のフランジ部の室内側には、キャップベースが設けられ、ドア本体の室内側面と、キャップベースとが、接着剤、又は両面テープ、又はネジ、又はクギ等の結合手段で構成された結合部材を介して結合しており、キャップベースに対しキャップは、ネジ、又はヒンジ・ピン構造、又は噛込み継手等の取付手段により、取付けられており、ドア外部からの覗き見を防止できると共に、室内側筒体を、取外すことを防止することを特徴とするドア犯罪防止装置を提供する。【０００８】  前記固定部材は、常温（１８．０±１８．０℃）におけるＪＩＳに規定する、９０度引きはがし接着力（Ｎ／ｍｍ）の値が、８．０（Ｎ／ｍｍ）以上の強度を有し、及び／又は、引張せん断接着力試験値（Ｎ／ｃｍ２）が、同じく常温（１８．０±１８．０℃）にて、３０．０（Ｎ／ｃｍ２）以上の接着力を有する接着剤、又は両面テープであることにより外部からの覗き見を防止できると共に、ドアスコープの室内側筒体を、取外すことを防止することを特徴とする請求項１記載のドア犯罪防止装置を提供する。【０００９】  ドアスコープの中央の開口に対向して、前記キャップ、又はキャップベースの内面には、感知センサーが設けられており、該感知センサーは、接触、押付け、打撃、等の動作に対し作動すると、いずれかの場所に取付けられた警報器に信号が送られ、音、振動、光、音声等いずれか一つ、又はそれらのいずれかの組合せによる警報が、発信されるように構成されていることにより外部からの覗き見を防止できると共に、ドアスコープの室内側筒体を、取外すことを防止することを特徴とする請求項１、又は２記載のドア犯罪防止装置を提供する。【００１０】  ドア本体に取付けられたドアスコープのキャップベースの一部、又はキャップの一部、又は室内側の任意の位置に、離間センサーの一方の送受信器が取付けられており、又、ドアノブ、又はドアキー、又はサムターンには他方の送受信器が取付けられており、一方の送受信器と他方の送受信器の離間距離が変化する信号が発せられると、該信号が警報器に送られ、音、振動、光、音声等いずれか一つ又はそれらの組合せによる警報が、発信されるように構成されることにより、ドアスコープの破損、及び／又はドアノブ、又はドアキー、又はサムターンの破損による侵入を防止することができることを特徴とする請求項１、又は２、又は３記載のドア犯罪防止装置を提供するものである。
【考案の効果】
【００１１】  本考案は、すなわち、簡単な構造でピッキング犯罪や、盗撮犯罪を防止できる防犯装置を提供するものである。
その優れた効果を、以下に述べる。
（１）外部からの覗き見を防止できると共に、室内側筒体３ｂを、ドライバー３１等により強く押し込む、又は叩き込むことにより、室内に落し込もうとしてもキャップベース１１及びキャップ１２が、ドア本体１に、強固に取付けられているため、室内側筒体３ｂが、完全に外れて、落込むことを防止することができるのである。
（２）固定部材１０の代りに、ネジ１３で取付けることにより強固な取付とすることができる。
（３）固定部材１０の材質は、９０度引きはがし接着力（Ｎ／１０ｍｍ）の値が、８．０以上、及び／又は、引張せん断接着力試験値（Ｎ／１００ｍｍ２）が、２５．０以上の接着力を有する接着剤、又は両面テープであることにより、本考案の良好な構造を提供することが出来る。
（４）キャップベース１４は、円筒体ではなく、ドア本体１とキャップ１５とを、結合する連結体ならいずれの形状で良く、又キャップ１５は、キャップベース１４に対し取外し可能で、覗き防止機能と破損防止のための強度を有するものであれば、円形にこだわることなくいずれの形状でもよい。
（５）キャップベース１１、または１４は、接着剤、又は両面テープ、又はネジでドア本体の内側面１ａに、極めて容易に取付けられるため、女性や老人、子供等の機械が苦手な人も容易に取付が可能である。
（６）ドアスコープ３の中央の開口に対向して、前記キャップ１２、又はキャップ１５の内面には、感知センサー１８が設けられており、感知センサー１８は、接触、押付け、打撃、等の動作に対し、作動すると、いずれかの場所に取付けられた警報器２１に信号が送られ、音、振動、光、音声等いずれか一つ又はそれらの組合せによる警報が、発信されることにより、侵入者がドライバー等により前記感知センサーに触れると、警報が発せられるため、犯罪行為が周囲に知らされるので驚いて、撃退することができる。
（７）上記の実施例の効果は、感知センサー１８の取付いてない構造に対しても、防犯効果を発揮することができる。
侵入者は、予め感知センサー１８が、取付いているかどうか判らないため、警戒して、侵入をあきらめる効果を、発揮することができるのである。
（８）キャップベース１１、１４又はキャップ１２、１５の一部、又はドアの内側面の任意の位置には、離間センサーの一方の送受信器２１が取付けられ、又、ドアノブ４、又はドアキー５、又はサムターン６には、他方の送受信器２２が取付けられ、これらの離間距離が変化すると、その信号により、警報器２１に信号が送られ、音、振動、光、音声等いずれか一つ又はそれらの組合せによる警報が、発信されるように構成されている。
従って、ドアスコープ３の破損と共に、ドアノブ４、又はドアキー５、又はサムターン６の破損による侵入も防げるという極めて防犯効果の高い構造を提供することができる。
【考案を実施するための最良の形態】
【００１２】  本考案は、考案の効果に前述した如く、すなわち、簡単な構造でこれらのピッキング犯罪や、盗撮犯罪を防止できる防犯装置を提供するものである。【００１３】  なお、本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。以下図面に基づいて詳細を説明する。
【実施例１】
【００１４】  以下、本考案の実施例について、図面を参照しながら説明する。
まず、従来の構造の問題点より詳説すると、図１０に示す如く、ドア本体１は、壁２の内側に設けられ、ドアスコープ３と、ドアノブ４とドアキー５と、室内側のサムターン６等が取付けられている。【００１５】  従来のドアスコープ３の詳細構造は、図１１に示す如く、ドアスコープ３を構成する室外側筒体３ａと、室内側筒体３ｂがネジ部等３ｃにより結合されている。
室外側筒体３ａを、回転すると外部より容易に外すことができ、図１２に示す如く、室外側筒体３ａを外し、室内側筒体３ｂを、ドライバー３１等により強く押し込む、又は叩き込むことにより、室内に落し込むことができる。【００１６】  そのドアスコープ用の開口を利用して、例えば図１３のように針金３２等により、カギ５のサムターン６を内側から、引っ掛けて解錠するという方法で室内に侵入するのである。
こうして、何の困難もなく、盗難や、隠しカメラを仕掛けるという犯罪が多発しているのである。【００１７】  以下、本考案の実施例について、図面を参照しながら説明する。
この実施例１の全体斜視図を図１に示し、図２に、ドアスコープ部の本考案構造の縦断面図を示す。
ドア本体１に取付けられたドアスコープ３の室内側筒体３ｂのフランジ部３ｄの室内側には、キャップベース１１が設けられ、ドア本体１の室内側面１ａと、キャップベース１１とが、接着剤、又は両面テープ、又はネジ、又はクギ等の結合手段で構成された結合部材１０を介して結合されている。
キャップベース１１に対し、キャップ１２は、ネジ、又はヒンジ・ピン構造、又は噛込み継手（図示せず）、等の取付手段により、強固に取付けられており、必要に応じて、室内側から、ドア外部を覗き見ることができる。
この構成により、外部からの覗き見を防止できると共に、前述の如く、室内側筒体３ｂを、ドライバー３１等により強く押し込む、又は叩き込むことにより、室内に落し込もうとしてもキャップベース１１及びキャップ１２が、ドア本体１に、強固に取付けられているため、室内側筒体３ｂが、外れて、落込むことを防止することができるのである。【００１８】  キャップベース１１、及び／又はキャップ１２の材質は、金属、合成樹脂、木材、セラミックス、樹脂加工された紙等の強度を有する材料で構成され、ドライバー等の工具で打撃されても、破損しないものとなっている。【００１９】  図３は、固定部材１０の代りに、ネジ１３で取付けた例を示す。この場合は、ドア本体１の内面１ａに、ネジ穴を設ける必要があるが、強固な取付とすることができる。【００２０】  次に、固定部材１０を詳説すると、固定部材１０の材質は、高粘着力を有する接着剤、又は、両面テープ、又はネジ、又はクギ等により構成されている。
最近特に、高粘着力を有する接着剤、又は、両面テープは、非常に開発されており、
例えば、前記固定部材は、常温（１８．０±１８．０℃）におけるＪＩＳに規定する、９０度引きはがし接着力（Ｎ／ｍｍ）の値が、８．０（Ｎ／ｍｍ）以上の強度を有することが望まれる。それ以下の一般的接着剤、又は、両面テープでは強度が不足し、ドライバー３１等により強く押し込む、又は叩き込むことにより容易に、外れてしまうからである。
及び／又は、引張せん断接着力試験値（Ｎ／ｃｍ２）が、同じく常温（１８．０±１８．０℃）にて、３０．０（Ｎ／ｃｍ２）以上の接着力を有することが望まれる。
それ以下の一般的接着剤、又は、両面テープでは強度が不足し、ドライバー３１等により強く押し込む、又は叩き込むことにより容易に、外れてしまうからである。
従って、前述の高粘着力を有する接着剤、又は両面テープであることにより本考案の良好な構造を提供することが出来る。【００２１】  図４は、別の形状のキャップベース１４とキャップ１５の構造を示すものである。
この構造においては、キャップベース１４は、円筒体ではなく、ドア本体１とキャップ１５とを、結合する連結体ならいずれの形状で良く、本図では軸状となっており、又キャップ１５は、キャップベース１４に対し取外し可能で、覗き防止機能と破損防止のための強度を有するものであれば、円形にこだわることなくいずれの形状でもよい。【００２２】  又、図５は、キャップベース１１と、キャップ１２の取付構造をヒンジ・ピン構造とした断面図である。
キャップベース１１とキャップ１２はヒンジ継手１６で、旋回可能に取付けられ、又他の位置に設けられたヒンジ・ピン１７は、ピン部１７ａがキャップベースに設けられたピン孔１７ｂに係合されて、結合されている。
図６は、キャップ１２を旋回し、室内より、外部を覗けるようにした状態図を示す。
ピン部１７ａをピン孔１７ｂから外し、キャップ１２をヒンジ継手１６を介して旋回することにより、部品がばらばらにならず、紛失しないという更なる特徴を有する構成とすることができる。【００２３】  実施例１の構成は、既存のドア本体１に、適用可能なので、設置個所が制限されず、又新築時に、予め取付けておき、住宅のセキュリティーを売り物にし、販売促進に寄与することができる。
【実施例２】
【００２４】  図７に実施例２の縦断面図を示し、そのＡ−Ａ断面図を図８に示す。
ドアスコープ３の中央の開口に対向して、前記キャップ１２、又はキャップ１５の内面には、感知センサー１８が設けられている。
また、該感知センサー１８を動作させるため電池等の電源１９が設けられており、電線２０を介して感知センサー１８が、作動するよう構成されている。
感知センサー１８は、接触、押付け、打撃、等の動作に対し、作動すると、いずれかの場所に取付けられた警報器２１に信号が送られ、音、振動、光、音声等いずれか一つ又はそれらの組合せによる警報が、発信されるように構成されている。
この警報器２１は、必ずしも前記キャップ１２、又はキャップ１５の内面でなく、室内外の任意の場所に設置しても良い。【００２５】  このように構成することにより、侵入者がドライバー等により強く押し込む、又は叩き込むことにより、室内側筒体３ｂを室内に落し込もうとして前記感知センサー１８に触れると、警報が発せられるため、犯罪行為が周囲に知らされるので驚いて、撃退することができる。【００２６】  この実施例２の効果は、実施例１の感知センサー１８の取付いてない構造に対しても、防犯効果を発揮することができる。
侵入者は、予め感知センサー１８が、取付いているかどうか判らないため、警戒して、侵入をあきらめる効果を、発揮することができるのである。
【実施例３】
【００２７】  図９は、実施例３の全体配置図を示すものである。
キャップベース１１、１４又はキャップ１２、１５の一部、又は室内側の任意の位置には、離間センサーの一方の送受信器２２が取付けられている。
又、ドアノブ４、又はドアキー５、又はサムターン６には、他方の送受信器２３が取付けられている。
この実施例３においては、例えば、ドアノブ４、又はドアキー５、又はサムターン６を工具によりこじ開け、これらのドアノブ４、又はドアキー５、又はサムターン６が、旋回等により位置移動が、発生すると、一方の送受信器２２及び他方の送受信器２３の離間距離が変化するため、その信号により、例えば実施例２で述べた、いずれかの場所に取付けられた警報器２１に信号が送られ、音、振動、光、音声等いずれか一つ又はそれらの組合せによる警報が、発信されるように構成されている。【００２８】  従って、この実施例３においては、ドアスコープ３の破損と共に、ドアノブ４、又はドアキー５、又はサムターン６の破損による侵入も防げるという極めて防犯効果の高い構造を提供することができる。
【産業上の利用可能性】
【００２９】  本考案の活用例としては、以上説明したように、簡単な構造で現在社会問題となっているピッキング犯罪を防止することができ、住宅や倉庫の安全性を確保できるため、重要な産業である建築業の発展に寄与すると共に、簡単な構造で安価に製作できるため、大量生産による新規商品分野を開拓でき、産業の活性化に、貢献することができる。
【図面の簡単な説明】
【００３０】
【図１】実施例１の全体斜視図である。
【図２】ドアスコープ部の本考案構造の縦断面図である。
【図３】ネジで取付けた本考案構造の縦断面図である。
【図４】別の形状のキャップベース１４とキャップ１５の構造を示す斜視図である。
【図５】ヒンジ・ピン構造とした断面図である。
【図６】キャップ１２を旋回した状態図を示す。
【図７】実施例２の縦断面図である。
【図８】図５の実施例２のＡ−Ａ断面図である。
【図９】実施例３の全体配置図である。
【図１０】従来のドアの構造を示す概略斜視図である。
【図１１】従来のドアスコープの詳細断面図である
【図１２】従来の室外側筒体３ａと、室内側筒体３ｂを取外す状態図である。
【図１３】従来のドアスコープ用の開口を利用して、解錠する状態図である。
【符号の説明】
【００３１】１          ドア本体
１ａ        内側面
２          壁
３          ドアスコープ
３ａ        室外側筒体
３ｂ        室内側筒体
３ｃ        ネジ部等
３ｄ        フランジ部
４          ドアノブ
５          ドアキー
６          サムターン
１０        固定部材
１１、１４  キャップベース
１２、１５  キャップ
１３        ネジ
１６        ヒンジ継手
１７        ヒンジ・ピン
１７ａ      ピン部
１７ｂ      ピン孔
１８        感知センサー
１９        電源
２０        電線
２１        警報器
２２        一方の送受信器
２３        他方の送受信器
３１        ドライバー
３２        針金
【図１】
0003145332.tif 000003
【図２】
0003145332.tif 000004
【図３】
0003145332.tif 000005
【図４】
0003145332.tif 000006
【図５】
0003145332.tif 000007
【図６】
0003145332.tif 000008
【図７】
0003145332.tif 000009
【図８】
0003145332.tif 000010
【図９】
0003145332.tif 000011
【図１０】
0003145332.tif 000012
【図１１】
0003145332.tif 000013
【図１２】
0003145332.tif 000014
【図１３】
0003145332.tif 000015
【手続補正書】
【提出日】平成20年7月4日(2008.7.4)
【手続補正１】
【補正対象書類名】実用新案登録請求の範囲
【補正対象項目名】全文
【補正方法】変更
【補正の内容】
【実用新案登録請求の範囲】
【請求項１】
ドア本体に取付けられたドアスコープの室内側筒体のフランジ部の室内側には、キャップベースが設けられ、ドア本体の室内側面と、キャップベースとが、接着剤、又は両面テープ、又はネジ、又はクギ等の結合手段で構成された結合部材を介して結合しており、キャップベースに対しキャップは、ネジ、又はヒンジ・ピン構造、又は噛込み継手等の取付手段により、取付けられており、ドア外部からの覗き見を防止できると共に、室内側筒体を、取外すことを防止することを特徴とするドア犯罪防止装置。
【請求項２】
前記結合部材は、常温（１８．０±１８．０℃）におけるＪＩＳに規定する、９０度引きはがし接着力（Ｎ／ｍｍ）の値が、８．０（Ｎ／ｍｍ）以上の強度を有し、及び／又は、引張せん断接着力試験値（Ｎ／ｃｍ２）が、同じく常温（１８．０±１８．０℃）にて、３０．０（Ｎ／ｃｍ２）以上の接着力を有する接着剤、又は両面テープであることにより外部からの覗き見を防止できると共に、ドアスコープの室内側筒体を、取外すことを防止することを特徴とする請求項１記載のドア犯罪防止装置。
【請求項３】
ドアスコープの中央の開口に対向して、前記キャップ、又はキャップベースの内面には、感知センサーが設けられており、該感知センサーは、接触、押付け、打撃、等の動作に対し作動すると、いずれかの場所に取付けられた警報器に信号が送られ、音、振動、光、音声等いずれか一つ、又はそれらのいずれかの組合せによる警報が、発信されるように構成されていることにより外部からの覗き見を防止できると共に、ドアスコープの室内側筒体を、取外すことを防止することを特徴とする請求項１、又は２記載のドア犯罪防止装置。
【請求項４】
ドア本体に取付けられたドアスコープのキャップベースの一部、又はキャップの一部、又は室内側の任意の位置に、離間センサーの一方の送受信器が取付けられており、又、ドアノブ、又はドアキー、又はサムターンには他方の送受信器が取付けられており、一方の送受信器と他方の送受信器の離間距離が変化する信号が発せられると、該信号が警報器に送られ、音、振動、光、音声等いずれか一つ又はそれらの組合せによる警報が、発信されるように構成されることにより、ドアスコープの破損、及び／又はドアノブ、又はドアキー、又はサムターンの破損による侵入を防止することができることを特徴とする請求項１、又は２、又は３記載のドア犯罪防止装置。
【手続補正２】
【補正対象書類名】明細書
【補正対象項目名】全文
【補正方法】変更
【補正の内容】
【考案の詳細な説明】
【技術分野】
【０００１】  本考案は、住宅、工場等のドアの防犯に供する防犯装置を提供するものである。
【背景技術】
【０００２】  最近、住宅、工場等のドアのピッキング犯罪が多発しており、特にドアに取付けられたドアスコープ、又はドアのドアキー、ドアノブを解体破損して室内に侵入しての盗難犯罪や、カメラ等により室内を覗き込み、盗撮する等の犯罪が多発している。【０００３】  特に、ドアスコープからの犯罪を防止する装置に関しては、例えば、［特開２００７−９２４０１号］（以下、「引例」という）が提案されている。
しかしこの引例においては、ドアスコープの室外側より覗かれるのを防止するカバーが、取付けられ、装着部材のゆるみを防止する回転防止手段を備えたものである。【０００４】  従って、引例の構造では、強く叩き込み、又は押し込まれると回転防止手段を含めて、破損されてしまい、室内側筒体が、室内に外れてしまうことに関しては無防備であった。
【特許文献１】特開２００７−９２４０１号
【０００５】
【考案の開示】
【考案が解決しようとする課題】
【０００６】    本考案は、極めて簡単な構造で、これらのドアスコープによる盗難、盗撮等の犯罪の防止及び／又はドアの破損による犯罪防止を図ることができる画期的構造を提供するものである。
【課題を解決するための手段】
【０００７】  ドア本体に取付けられたドアスコープの室内側筒体のフランジ部の室内側には、キャップベースが設けられ、ドア本体の室内側面と、キャップベースとが、接着剤、又は両面テープ、又はネジ、又はクギ等の結合手段で構成された結合部材を介して結合しており、キャップベースに対しキャップは、ネジ、又はヒンジ・ピン構造、又は噛込み継手等の取付手段により、取付けられており、ドア外部からの覗き見を防止できると共に、室内側筒体を、取外すことを防止することを特徴とするドア犯罪防止装置を提供する。【０００８】  前記結合部材は、常温（１８．０±１８．０℃）におけるＪＩＳに規定する、９０度引きはがし接着力（Ｎ／ｍｍ）の値が、８．０（Ｎ／ｍｍ）以上の強度を有し、及び／又は、引張せん断接着力試験値（Ｎ／ｃｍ２）が、同じく常温（１８．０±１８．０℃）にて、３０．０（Ｎ／ｃｍ２）以上の接着力を有する接着剤、又は両面テープであることにより外部からの覗き見を防止できると共に、ドアスコープの室内側筒体を、取外すことを防止することを特徴とする請求項１記載のドア犯罪防止装置を提供する。【０００９】  ドアスコープの中央の開口に対向して、前記キャップ、又はキャップベースの内面には、感知センサーが設けられており、該感知センサーは、接触、押付け、打撃、等の動作に対し作動すると、いずれかの場所に取付けられた警報器に信号が送られ、音、振動、光、音声等いずれか一つ、又はそれらのいずれかの組合せによる警報が、発信されるように構成されていることにより外部からの覗き見を防止できると共に、ドアスコープの室内側筒体を、取外すことを防止することを特徴とする請求項１、又は２記載のドア犯罪防止装置を提供する。【００１０】  ドア本体に取付けられたドアスコープのキャップベースの一部、又はキャップの一部、又は室内側の任意の位置に、離間センサーの一方の送受信器が取付けられており、又、ドアノブ、又はドアキー、又はサムターンには他方の送受信器が取付けられており、一方の送受信器と他方の送受信器の離間距離が変化する信号が発せられると、該信号が警報器に送られ、音、振動、光、音声等いずれか一つ又はそれらの組合せによる警報が、発信されるように構成されることにより、ドアスコープの破損、及び／又はドアノブ、又はドアキー、又はサムターンの破損による侵入を防止することができることを特徴とする請求項１、又は２、又は３記載のドア犯罪防止装置を提供するものである。
【考案の効果】
【００１１】  本考案は、すなわち、簡単な構造でピッキング犯罪や、盗撮犯罪を防止できる防犯装置を提供するものである。
その優れた効果を、以下に述べる。
（１）外部からの覗き見を防止できると共に、室内側筒体３ｂを、ドライバー３１等により強く押し込む、又は叩き込むことにより、室内に落し込もうとしてもキャップベース１１及びキャップ１２が、ドア本体１に、強固に取付けられているため、室内側筒体３ｂが、完全に外れて、落込むことを防止することができるのである。
（２）結合部材１０の代りに、ネジ１３で取付けることにより強固な取付とすることができる。
（３）結合部材１０の材質は、９０度引きはがし接着力（Ｎ／１０ｍｍ）の値が、８．０以上、及び／又は、引張せん断接着力試験値（Ｎ／１００ｍｍ２）が、２５．０以上の接着力を有する接着剤、又は両面テープであることにより、本考案の良好な構造を提供することが出来る。
（４）キャップベース１４は、円筒体ではなく、ドア本体１とキャップ１５とを、結合する連結体ならいずれの形状で良く、又キャップ１５は、キャップベース１４に対し取外し可能で、覗き防止機能と破損防止のための強度を有するものであれば、円形にこだわることなくいずれの形状でもよい。
（５）キャップベース１１、または１４は、接着剤、又は両面テープ、又はネジでドア本体の内側面１ａに、極めて容易に取付けられるため、女性や老人、子供等の機械が苦手な人も容易に取付が可能である。
（６）ドアスコープ３の中央の開口に対向して、前記キャップ１２、又はキャップ１５の内面には、感知センサー１８が設けられており、感知センサー１８は、接触、押付け、打撃、等の動作に対し、作動すると、いずれかの場所に取付けられた警報器２１に信号が送られ、音、振動、光、音声等いずれか一つ又はそれらの組合せによる警報が、発信されることにより、侵入者がドライバー等により前記感知センサーに触れると、警報が発せられるため、犯罪行為が周囲に知らされるので驚いて、撃退することができる。
（７）上記の実施例の効果は、感知センサー１８の取付いてない構造に対しても、防犯効果を発揮することができる。
侵入者は、予め感知センサー１８が、取付いているかどうか判らないため、警戒して、侵入をあきらめる効果を、発揮することができるのである。
（８）キャップベース１１、１４又はキャップ１２、１５の一部、又はドアの内側面の任意の位置には、離間センサーの一方の送受信器２１が取付けられ、又、ドアノブ４、又はドアキー５、又はサムターン６には、他方の送受信器２２が取付けられ、これらの離間距離が変化すると、その信号により、警報器２１に信号が送られ、音、振動、光、音声等いずれか一つ又はそれらの組合せによる警報が、発信されるように構成されている。
従って、ドアスコープ３の破損と共に、ドアノブ４、又はドアキー５、又はサムターン６の破損による侵入も防げるという極めて防犯効果の高い構造を提供することができる。
【考案を実施するための最良の形態】
【００１２】  本考案は、考案の効果に前述した如く、すなわち、簡単な構造でこれらのピッキング犯罪や、盗撮犯罪を防止できる防犯装置を提供するものである。【００１３】  なお、本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。以下図面に基づいて詳細を説明する。
【実施例１】
【００１４】  以下、本考案の実施例について、図面を参照しながら説明する。
まず、従来の構造の問題点より詳説すると、図１０に示す如く、ドア本体１は、壁２の内側に設けられ、ドアスコープ３と、ドアノブ４とドアキー５と、室内側のサムターン６等が取付けられている。【００１５】  従来のドアスコープ３の詳細構造は、図１１に示す如く、ドアスコープ３を構成する室外側筒体３ａと、室内側筒体３ｂがネジ部等３ｃにより結合されている。
室外側筒体３ａを、回転すると外部より容易に外すことができ、図１２に示す如く、室外側筒体３ａを外し、室内側筒体３ｂを、ドライバー３１等により強く押し込む、又は叩き込むことにより、室内に落し込むことができる。【００１６】  そのドアスコープ用の開口を利用して、例えば図１３のように針金３２等により、カギ５のサムターン６を内側から、引っ掛けて解錠するという方法で室内に侵入するのである。
こうして、何の困難もなく、盗難や、隠しカメラを仕掛けるという犯罪が多発しているのである。【００１７】  以下、本考案の実施例について、図面を参照しながら説明する。
この実施例１の全体斜視図を図１に示し、図２に、ドアスコープ部の本考案構造の縦断面図を示す。
ドア本体１に取付けられたドアスコープ３の室内側筒体３ｂのフランジ部３ｄの室内側には、キャップベース１１が設けられ、ドア本体１の室内側面１ａと、キャップベース１１とが、接着剤、又は両面テープ、又はネジ、又はクギ等の結合手段で構成された結合部材１０を介して結合されている。
キャップベース１１に対し、キャップ１２は、ネジ、又はヒンジ・ピン構造、又は噛込み継手（図示せず）、等の取付手段により、強固に取付けられており、必要に応じて、室内側から、ドア外部を覗き見ることができる。
この構成により、外部からの覗き見を防止できると共に、前述の如く、室内側筒体３ｂを、ドライバー３１等により強く押し込む、又は叩き込むことにより、室内に落し込もうとしてもキャップベース１１及びキャップ１２が、ドア本体１に、強固に取付けられているため、室内側筒体３ｂが、外れて、落込むことを防止することができるのである。【００１８】  キャップベース１１、及び／又はキャップ１２の材質は、金属、合成樹脂、木材、セラミックス、樹脂加工された紙等の強度を有する材料で構成され、ドライバー等の工具で打撃されても、破損しないものとなっている。【００１９】  図３は、結合部材１０の代りに、ネジ１３で取付けた例を示す。この場合は、ドア本体１の内面１ａに、ネジ穴を設ける必要があるが、強固な取付とすることができる。【００２０】  次に、結合部材１０を詳説すると、結合部材１０の材質は、高粘着力を有する接着剤、又は、両面テープ、又はネジ、又はクギ等により構成されている。
最近特に、高粘着力を有する接着剤、又は、両面テープは、非常に開発されており、
例えば、前記結合部材は、常温（１８．０±１８．０℃）におけるＪＩＳに規定する、９０度引きはがし接着力（Ｎ／ｍｍ）の値が、８．０（Ｎ／ｍｍ）以上の強度を有することが望まれる。それ以下の一般的接着剤、又は、両面テープでは強度が不足し、ドライバー３１等により強く押し込む、又は叩き込むことにより容易に、外れてしまうからである。
及び／又は、引張せん断接着力試験値（Ｎ／ｃｍ２）が、同じく常温（１８．０±１８．０℃）にて、３０．０（Ｎ／ｃｍ２）以上の接着力を有することが望まれる。
それ以下の一般的接着剤、又は、両面テープでは強度が不足し、ドライバー３１等により強く押し込む、又は叩き込むことにより容易に、外れてしまうからである。
従って、前述の高粘着力を有する接着剤、又は両面テープであることにより本考案の良好な構造を提供することが出来る。【００２１】  図４は、別の形状のキャップベース１４とキャップ１５の構造を示すものである。
この構造においては、キャップベース１４は、内筒体ではなく、ドア本体１とキャップ１５とを、結合する連結体ならいずれの形状で良く、本図では軸状となっており、又キャップ１５は、キャップベース１４に対し取外し可能で、覗き防止機能と破損防止のための強度を有するものであれば、円形にこだわることなくいずれの形状でもよい。【００２２】  又、図５は、キャップベース１１と、キャップ１２の取付構造をヒンジ・ピン構造とした断面図である。
キャップベース１１とキャップ１２はヒンジ継手１６で、旋回可能に取付けられ、又他の位置に設けられたヒンジ・ピン１７は、ピン部１７ａがキャップベースに設けられたピン孔１７ｂに係合されて、結合されている。
図６は、キャップ１２を旋回し、室内より、外部を覗けるようにした状態図を示す。
ピン部１７ａをピン孔１７ｂから外し、キャップ１２をヒンジ継手１６を介して旋回することにより、部品がばらばらにならず、紛失しないという更なる特徴を有する構成とすることができる。【００２３】  実施例１の構成は、既存のドア本体１に、適用可能なので、設置個所が制限されず、又新築時に、予め取付けておき、住宅のセキュリティーを売り物にし、販売促進に寄与することができる。
【実施例２】
【００２４】  図７に実施例２の縦断面図を示し、そのＡ−Ａ断面図を図８に示す。
ドアスコープ３の中央の開口に対向して、前記キャップ１２、又はキャップ１５の内面には、感知センサー１８が設けられている。
また、該感知センサー１８を動作させるため電池等の電源１９が設けられており、電線２０を介して感知センサー１８が、作動するよう構成されている。
感知センサー１８は、接触、押付け、打撃、等の動作に対し、作動すると、いずれかの場所に取付けられた警報器２１に信号が送られ、音、振動、光、音声等いずれか一つ又はそれらの組合せによる警報が、発信されるように構成されている。
この警報器２１は、必ずしも前記キャップ１２、又はキャップ１５の内面でなく、室内外の任意の場所に設置しても良い。【００２５】  このように構成することにより、侵入者がドライバー等により強く押し込む、又は叩き込むことにより、室内側筒体３ｂを室内に落し込もうとして前記感知センサー１８に触れると、警報が発せられるため、犯罪行為が周囲に知らされるので驚いて、撃退することができる。【００２６】  この実施例２の効果は、実施例１の感知センサー１８の取付いてない構造に対しても、防犯効果を発揮することができる。
侵入者は、予め感知センサー１８が、取付いているかどうか判らないため、警戒して、侵入をあきらめる効果を、発揮することができるのである。
【実施例３】
【００２７】  図９は、実施例３の全体配置図を示すものである。
キャップベース１１、１４又はキャップ１２、１５の一部、又は室内側の任意の位置には、離間センサーの一方の送受信器２２が取付けられている。
又、ドアノブ４、又はドアキー５、又はサムターン６には、他方の送受信器２３が取付けられている。
この実施例３においては、例えば、ドアノブ４、又はドアキー５、又はサムターン６を工具によりこじ開け、これらのドアノブ４、又はドアキー５、又はサムターン６が、旋回等により位置移動が、発生すると、一方の送受信器２２及び他方の送受信器２３の離間距離が変化するため、その信号により、例えば実施例２で述べた、いずれかの場所に取付けられた警報器２１に信号が送られ、音、振動、光、音声等いずれか一つ又はそれらの組合せによる警報が、発信されるように構成されている。【００２８】  従って、この実施例３においては、ドアスコープ３の破損と共に、ドアノブ４、又はドアキー５、又はサムターン６の破損による侵入も防げるという極めて防犯効果の高い構造を提供することができる。
【産業上の利用可能性】
【００２９】  本考案の活用例としては、以上説明したように、簡単な構造で現在社会問題となっているピッキング犯罪を防止することができ、住宅や倉庫の安全性を確保できるため、重要な産業である建築業の発展に寄与すると共に、簡単な構造で安価に製作できるため、大量生産による新規商品分野を開拓でき、産業の活性化に、貢献することができる。
【図面の簡単な説明】
【００３０】
【図１】実施例１の全体斜視図である。
【図２】ドアスコープ部の本考案構造の縦断面図である。
【図３】ネジで取付けた本考案構造の縦断面図である。
【図４】別の形状のキャップベース１４とキャップ１５の構造を示す斜視図である。
【図５】ヒンジ・ピン構造とした断面図である。
【図６】キャップ１２を旋回した状態図を示す。
【図７】実施例２の縦断面図である。
【図８】図５の実施例２のＡ−Ａ断面図である。
【図９】実施例３の全体配置図である。
【図１０】従来のドアの構造を示す概略斜視図である。
【図１１】従来のドアスコープの詳細断面図である
【図１２】従来の室外側筒体３ａと、室内側筒体３ｂを取外す状態図である。
【図１３】従来のドアスコープ用の開口を利用して、解錠する状態図である。
【符号の説明】
【００３１】１        ドア本体
１ａ      内側面
２        壁
３        ドアスコープ
３ａ      室外側筒体
３ｂ      室内側筒体
３ｃ      ネジ部等
３ｄ      フランジ部
４        ドアノブ
５        ドアキー
６        サムターン
１０      結合部材
１１、１４キャップベース
１２、１５キャップ
１３      ネジ
１６      ヒンジ継手
１７      ヒンジ・ピン
１７ａ    ピン部
１７ｂ    ピン孔
１８      感知センサー
１９      電源
２０      電線
２１      警報器
２２      一方の送受信器
２３      他方の送受信器
３１      ドライバー
３２      針金